(57)【特許請求の範囲】
【請求項１】
発光部と、在席者までの距離を測定するセンサ部と、
前記センサ部によって得られた距離情報に基づいて前記在席者の有無を判断する判断部と、
を有するタスク用照明器具であって、
前記発光部の点灯、及び消灯を制御する制御部を備え、
手動操作により、前記発光部は作動を開始し、前記センサ部は在席者までの初期距離を計測し、
前記判断部は、前記センサ部が計測した在席者までの現在距離と前記初期距離の変化量が、予め設定された閾値未満であるときに前記在席者ありと判断し、前記変化量が前記閾値以上であるときに前記在席者なしと判断し、
前記制御部は、前記判断部が在席者なしと判断したとき、前記発光部を消灯すると共に、作動を停止するタスク用照明器具。
【請求項２】
請求項１に記載のタスク用照明器具であって、
前記在席者の有無を判断する前記閾値は、任意に設定可能であるタスク用照明器具。
【請求項３】
請求項１に記載のタスク用照明器具であって、
前記センサ部は、任意の位置に設置可能であるタスク用照明器具。
【請求項４】
請求項１に記載のタスク用照明器具であって、
前記制御部は、前記判断部が在席者なしと判断したときから所定時間経過後に、前記発光部を消灯するタスク用照明器具。
【請求項５】
請求項４に記載のタスク用照明器具であって、
前記所定時間は、任意の時間に設定可能であるタスク用照明器具。
【発明の詳細な説明】
【技術分野】
【０００１】
本発明は、タスク用照明器具に係り、特に、在席者の存在を検知し、所定の範囲内に在席者がいなくなったとき自動的に消灯して、エネルギロスを抑制するようにしたタスク用照明器具に関する。
【背景技術】
【０００２】
従来、人体検知手段を備え、この人体検知手段が人を検知すると発光部を自動的に点灯し、人を検知しなくなると自動的に消灯するようにした照明器具が知られている。このような照明器具としては、発光部、測距センサ、及び焦電センサを備え、焦電センサの検知結果によって測距センサを作動または停止させると共に、測距センサの検知結果により発光部を点灯または消灯させるようにした照明装置及びそれを備えた照明器具が提案されている（例えば、特許文献１参照。）。
【０００３】
しかしながら、特許文献１に記載の照明器具によると、焦電センサの近傍を人が通行するたびに消費電力の大きな測距センサが作動することになって、無駄なエネルギが消費される可能性があり、更なる省エネルギを達成するためには改善の余地があった。
【先行技術文献】
【特許文献】
【０００４】
【特許文献１】特開２００２−５０４８９号公報
【発明の概要】
【発明が解決しようとする課題】
【０００５】
本発明は、前記実情に鑑みてなされたもので、在席者が離席すると自動的に消灯すると共に作動を停止し、再び照明器具使用の意志を示すまでは消灯のままとして、照明器具を使用する人が在席する間だけセンサ部及び発光部を作動させて、エネルギロスを防止することができるタスク用照明器具を提供することを目的とする。
【課題を解決するための手段】
【０００６】
本発明は、発光部と、在席者までの距離を測定するセンサ部と、前記センサ部によって得られた距離情報に基づいて前記在席者の有無を判断する判断部と、を有するタスク用照明器具であって、前記発光部の点灯、及び消灯を制御する制御部を備え、手動操作により、前記発光部は作動を開始し、前記センサ部は在席者までの初期距離を計測し、前記判断部は、前記センサ部が計測した在席者までの現在距離と前記初期距離の変化量が、予め設定された閾値未満であるときに前記在席者ありと判断し、前記変化量が前記閾値以上であるときに前記在席者なしと判断し、前記制御部は、前記判断部が在席者なしと判断したとき、前記発光部を消灯すると共に、作動を停止する。
【０００７】
この構成により、発光部の消灯後、在席者（使用者）が手動操作して照明器具を点灯させるまでの間、センサ部及び発光部の作動が停止するため、電力が消費されることがなく、無駄なエネルギ消費を防止することができる。また、在席者の通常移動距離範囲を閾値に設定することにより、在席者が多少移動しても、在席者の意志に反して発光部が自動的に消灯することが防止され、タスク用照明器具の使い勝手が向上する。
【００１０】
更に、本発明は、上記のタスク用照明器具において、前記在席者の有無を判断する前記閾値は、任意に設定可能であるものを含む。
【００１１】
この構成により、判断部が在席/離席を判断するセンサ部から在席者までの許容距離範囲を在席者が自ら調整することができ、在席者の行動パターンに合わせたタスク用照明器具の制御が可能となる。
【００１２】
また、本発明は、上記のタスク用照明器具において、前記センサ部は、任意の位置に設置可能であるものを含む。
【００１３】
この構成により、センサ部を在席者の行動パターンに合わせて最適位置に設置し、効果的にタスク用照明器具の点灯、消灯を制御することができる。
【００１４】
更にまた、本発明は、上記のタスク用照明器具において、前記制御部は、前記判断部が在席者なしと判断したときから所定時間経過後に、前記発光部を消灯するものを含む。
【００１５】
この構成により、夜間などにおいて、離席直後に暗闇状態とはならず、安全性が確保される。
【００１６】
また、本発明は、上記のタスク用照明器具において、前記所定時間は、任意の時間に設定可能であるものを含む。
【００１７】
この構成により、在席者の行動パターンに合わせて発光部を消灯することができる。
【発明の効果】
【００１８】
本発明によれば、使用者が手動操作して照明器具を点灯させるまで、照明器具の作動が停止しており、また、点灯後は、在席者が離席すると発光部が消灯すると共に作動を停止するので、無駄なエネルギ消費を防止することができるタスク用照明器具を提供することができる。
【図面の簡単な説明】
【００１９】
【図１】本発明の実施の形態に係るタスク用照明器具が、机上に設置された状態を示す側面図
【図２】図１におけるＡ矢視図
【図３】本発明の実施の形態に係るタスク用照明器具の概略構成を示すブロック図
【図４】本発明の実施の形態に係るタスク用照明器具の制御手順を説明するためのフローチャート
【図５】タスク用照明器具のタイムチャートであり、（Ａ）は本発明の実施の形態に係るタスク用照明器具のタイムチャート、（Ｂ）は従来の照明器具のタイムチャート
【発明を実施するための形態】
【００２０】
以下、本発明の実施形態に係るタスク用照明器具について、図面を参照しつつ詳細に説明する。
【００２１】
図１は本発明の実施の形態に係るタスク用照明器具が、机上に設置された状態を示す側面図であり、図２は図１におけるＡ矢視図である。図１及び図２に示すように、本実施形態のタスク用照明器具は、スタンド型照明器具１０であり、例えば、パソコン２０が載置される机２１上に配置して使用される。スタンド型照明器具１０は、ベース１１から立設する支柱１２によって、例えば、直管型蛍光灯などの発光部１３が、パソコン２０の表示装置２２の上方に支持されて、在席者（使用者）２４の手元部を照明する。
【００２２】
図３に示すように、ベース１１内には、例えば、不図示のマイクロコンピュータなどで構成される判断部１４、及び制御部１５が収容されている。このマイクロコンピュータには、支柱１２に配設された手動操作部である電源スイッチ１６が電気的に接続されると共に、別部材として設けられたセンサ部１７が信号線１８によって接続されている。
【００２３】
センサ部１７は、信号線１８の長さが許容する範囲内で任意の位置に設置することが可能である。図１に示す実施形態では、椅子２３に着座する使用者（在席者）２４の正面に位置する表示装置２２の前面下部に配置されて、検出光Ｌを在席者２４に向かって照射している。
【００２４】
センサ部１７は、在席者２４までの距離を測定する測距センサであり、例えば、赤外発光ダイオード（LED）の光を発光側レンズを通して投光し、その反射光を受光側レンズを通して位置検出素子PSD（Position Sensitive Detector）などの受光素子上の１点で受光する。この受光素子上の光の入射位置は、反射物までの距離に応じて変化するため、この入射位置を検出し、三角測量の原理を応用することにより反射物までの距離を検出するように構成される。
【００２５】
判断部１４は、センサ部１７によって測定された在席者２４までの距離情報に基づいて、在席者２４の存在の有無を判断し、その結果を制御部１５に伝達する。制御部１５は、判断部１４の判断結果に基づいて、発光部１３の点灯状態を維持し、或いは、発光部１３を消灯すると共に、すべての作動を停止する。なお、判断部１４による在席者２４の有無の判断手順については、後に詳述する。
【００２６】
次に、このように構成された本発明の実施の形態に係るタスク用照明器具（スタンド型照明器具）１０を、パソコン２０が載置される机２１上に配置して使用する場合を例にして説明する。
【００２７】
なお、ここでは、在席者２４の有無を判断する基準となる、在席者２４までの距離変化量の許容値である閾値は、予め設定されているものとして説明する。閾値を設定可能としたのは、在席者２４の僅かな移動によって発光部１３が消灯することを防止して、スタンド型照明器具１０の使い勝手を向上させるためであり、任意の値に設定可能とすることにより、在席者２４の行動パターンに合わせた使用が可能となる。
【００２８】
本実施形態のスタンド型照明器具１０は、図４に示すように、スタンド型照明器具１０を点灯させるため、使用者（在席者）２４が電源スイッチ１６を手動操作してＯＮにすると（ステップＳ１０１）、センサ部１７が起動して在席者２４までの距離を測定し、この測定距離を初期距離Ｎ０として判断部１４の記憶部に記憶する（ステップＳ１０２）。
【００２９】
次いで、発光部１３を点灯させた後（ステップＳ１０３）、再びセンサ部１７によって在席者２４までの距離を測定して現在距離Ｎ１を得る（ステップＳ１０４）。そして、在席者２４の初期位置と現在位置との距離変化量（現在距離Ｎ１−初期距離Ｎ０）を求め、距離変化量が設定されている閾値未満である場合、判断部１４は在席者２４ありと判断して制御部１５に伝達し（ステップＳ１０５）、ステップＳ１０３に戻って発光部１３の点灯を継続する。
【００３０】
一方、距離変化量が閾値以上である場合、判断部１４は在席者２４なし（離席した）と判断して制御部１５に伝達する（ステップＳ１０５）。制御部１５は、在席者２４なしとの判断部１４の判断に基づき、予め設定されている所定時間ｔが経過した後、発光部１３を消灯し（ステップＳ１０６）、すべての作動を停止する（ステップＳ１０７）。
【００３１】
次に、このように制御される本実施形態のスタンド型照明器具１０の点灯パターンを、従来の照明器具と比較して説明する。図５は、タスク用照明器具のタイムチャートであり、（Ａ）は本発明の実施の形態に係るタスク用照明器具のタイムチャート、（Ｂ）は従来の照明器具のタイムチャートである。図５中、線図ａ１、ｂ１はセンサ部の出力信号、線図ａ２、ｂ２は発光部の点灯状態、線図ａ３、ｂ３は消費電力の状態を示す。
【００３２】
先ず、本実施形態のタスク用照明器具について、図５（Ａ）に基づいて説明する。図５（Ａ）に示すように、初期状態ではセンサ部１７が作動していないため、使用者２４が椅子２３に着座（Ｐ１）しても、発光部１３は点灯せず、使用者２４が電源スイッチ１６を手動操作したとき、センサ部１７が作動を開始して使用者２４を検出する（線図ａ１）と共に、発光部１３が点灯（線図ａ２）する（Ｐ２）。
【００３３】
そして、在席者２４が離席して設定されている閾値を越える位置まで移動すると、センサ部１７の出力信号がｏｆｆとなり（Ｐ３）、これにより判断部１４が在席者２４なしと判断すると、制御部１５は、所定の時間ｔが経過した後、発光部１３を消灯すると共に、すべての作動を停止する（Ｐ４）。
【００３４】
このように、離席後、直ちに消灯することなく、所定の時間ｔだけ点灯状態を維持するので、夜間などにおいて、離席直後に暗闇になることが防止されて安全が確保される。なお、このような安全確保の必要がない場合には、所定の時間ｔを設けず（ｔ＝０）、センサ部１７の出力信号ｏｆｆと同時に消灯するようにしてもよい。
【００３５】
発光部１３の消灯と同時にセンサ部１７の作動も停止するため、これ以後はセンサ部１７による使用者２４の検出が行われず、タスク用照明器具１０の近くを人が通行しても（Ｐ５、Ｐ６）、発光部１３は消灯した状態を維持する。即ち、線図ａ３に示すように、電源スイッチ１６を手動操作した後、センサ部１７、及び発光部１３作動のために消費していた電力は、発光部１３消灯（Ｐ４）以後は、ゼロとなる。
【００３６】
そして、使用者２４が、再び電源スイッチ１６を手動操作すると（Ｐ８）、先と同様に、センサ部１７が作動を開始して使用者２４を検出すると共に発光部１３が点灯する。そして、在席者２４が離席してセンサ部１７の出力信号がｏｆｆになった後（Ｐ９）、所定の時間ｔが経過すると発光部１３が消灯すると共に、すべての作動が停止する（Ｐ１０）。
【００３７】
一方、従来の照明器具は、図５（Ｂ）に示すように、使用者２４が椅子２３に着座すると、センサ部が使用者２４を検出して検出信号を出力し、発光部１３が点灯する（Ｐ１）。そして、在席者２４が離席して検出信号がｏｆｆになると、直ちに発光部１３が消灯する（Ｐ３）。発光部１３の消灯後も、センサ部が作動しているため、照明器具の近くを人が通行するごとに、センサ部が通行人を検出している間、発光部１３が点灯する（Ｐ５、Ｐ６）。
【００３８】
そして、再び使用者２４が着座すると（Ｐ７）、センサ部が使用者２４を検出すると同時に、発光部１３が点灯し、離席するまで点灯状態を維持する（Ｐ９）。
【００３９】
従来の照明器具の消費電力は、線図ｂ３に示すように、常にセンサ部を作動させるための電力が消費されると共に、発光部の点灯時には照明用電力が付加される。また、本来、点灯不要である通行人の通過時にも発光部が点灯して照明用電力が消費される。
【００４０】
これに対して、本実施形態のタスク用照明器具１０は、発光部１３が点灯している期間中だけ、センサ部１７及び発光部１３のための電力が消費されるものであり、発光部１３の消灯後は、消費電力がゼロとなる。これにより、着座時の自動点灯（Ｐ１〜Ｐ２、Ｐ７〜Ｐ８）、離席時の消し忘れ（Ｐ４〜Ｐ５）、及び通行人検知による点灯（Ｐ５〜Ｐ７）による無駄なエネルギ消費を防止することができ、省エネルギのタスク用照明器具を提供することが可能となる。
【００４１】
以上説明したように、このような本発明の実施の形態に係るタスク用照明器具によれば、在席者が手動操作したとき、センサ部が作動を開始して発光部が点灯し、センサ部からの距離情報に基づいて判断部が在席者なしと判断したとき、発光部を自動的に消灯すると共にすべての作動を停止する。これにより、使用者が手動操作して照明器具を点灯させるまで、センサ部及び発光部は作動せず、更に、在席者が離席後に点灯したままとなることがないので、着座から実際に照明器具を使用開始するまでの間、及び離席時の消灯忘れによる無駄なエネルギ消費を防止することができる。
【００４２】
尚、本発明は、前述した実施形態に限定されるものではなく、適宜、変形、改良、等が可能である。例えば、上記説明において、タスク用照明器具はスタンド型照明器具として説明したが、これに限定されず、任意の形態の照明器具に適用することができ、同様の効果を奏する。
【符号の説明】
【００４３】
１０      スタンド型照明器具（タスク用照明器具）
１３      発光部
１４      判断部
１５      制御部
１６      電源スイッチ（手動操作部）
１７      センサ部
２４      使用者（在席者）
ｔ         所定時間
【図１】
0005614995.tif 000002
【図２】
0005614995.tif 000003
【図３】
0005614995.tif 000004
【図４】
0005614995.tif 000005
【図５】
0005614995.tif 000006